(57)【特許請求の範囲】
【請求項１】
下部側が開放された袋状のトリムカバーを車両用シートのパッドに被着するに、シートフレームに設けた引掛け片で前記トリムカバーを止着する車両用シートのトリムカバー被着構造において、
前記トリムカバーに設けたカバー部材が上方に開口した袋部を有し、
前記引掛け片を前記袋部に差し込んで前記トリムカバーを止着してなることを特徴とする車両用シートのトリムカバー被着構造。
【請求項２】
前記カバー部材を２つに折り曲げて接合し、
前記引掛け片に相当する幅を非接合として前記袋部を構成したことを特徴とする請求項１に記載の車両用シートのトリムカバー被着構造。
【請求項３】
前記カバー部材の接合部に沿って平帯状の樹脂プレートを備え付けたことを特徴とする請求項２に記載の車両用シートのトリムカバー被着構造。
【請求項４】
前記カバー部材の非接合部に摘み片を設けたことを特徴とする請求項２又は３に記載の車両用シートのトリムカバー被着構造。
【請求項５】
前記シートフレームの幅方向に掛け渡されるワイヤの一部を略Ｕ字状に折り曲げて前記引掛け片を構成したことを特徴とする請求項１乃至４のいずれか１項に記載の車両用シートのトリムカバー被着構造。
【請求項６】
前記トリムカバーと別部材の引張り強度を有するカバー部材を前記トリムカバーに備えてなることを特徴とする請求項１乃至５のいずれか１項に記載の車両用シートのトリムカバー被着構造。
【請求項７】
前記カバー部材の長手方向に亘る平帯状の樹脂プレートを前記カバー部材と一体に備え付けたことを特徴とする請求項１乃至６のいずれか１項に記載の車両用シートのトリムカバー被着構造。
【請求項８】
前記袋部に差し込まれる前記引掛け片に亘ってあてがい配置する平帯状の樹脂プレートを前記カバー部材と一体に備え付けたことを特徴とする請求項１乃至７のいずれか１項に記載の車両用シートのトリムカバー被着構造。
【請求項９】
前記トリムカバーは、前記トリムカバーの背裏側に開口部分を形成し、前記開口部分の周囲に形成されたマチ部分と、前記トリムカバーの背裏側に吊り下げられるものであって前記開口部分を覆う背裏カバーとを備え、
前記カバー部材を前記背裏カバーの自由端側に備えることを特徴とする請求項１乃至８のいずれか１項に記載の車両用シートのトリムカバー被着構造。
【請求項１０】
前記トリムカバーは、前記トリムカバーの背裏側に開口部分を形成し、前記開口部分の周囲に形成されたマチ部分と、前記トリムカバーの背裏側に吊り下げられるものであって前記開口部分を覆う背裏カバーとを備え、
前記カバー部材を前記トリムカバーと前記背裏カバーとの接合箇所に備えることを特徴とする請求項１乃至８のいずれか１項に記載の車両用シートのトリムカバー被着構造。
【請求項１１】
前記シートフレームの幅方向に亘って前記引掛け片と前記袋部を複数設けることを特徴とする請求項１乃至１０のいずれか１項に記載の車両用シートのトリムカバー被着構造。
【発明の詳細な説明】
【技術分野】
【０００１】
本発明は、下部側が開放された袋状のトリムカバーをパッドに被着し、車両シートを組み立てるに適用するトリムカバーの被着構造に関するものである。
【背景技術】
【０００２】
従来、車両シートのシートバックを組み立てる場合を例示すると、背裏カバーを含む下部側が開放された袋状のトリムカバーをバックパッドに被着するに、複数のＪ字フックを背裏カバーの幅方向に縫着し、ジクザグ状の掛止めワイヤをシートバックフレームのアンダーフレームに取り付け、各Ｊ字フックを掛止めワイヤのＵ字部に夫々引掛けて背裏カバー部の端末を止着処理することが提案されている（特許文献１）。
【先行技術文献】
【特許文献】
【０００３】
【特許文献１】特開平０６−２７７３７５号
【発明の概要】
【発明が解決しようとする課題】
【０００４】
上述したトリムカバーの被着構造では、間隔を隔てた複数のＪ字フックを掛止めワイヤのＵ字部に個々に引掛け、背裏カバーの端末を止着処理するものであるため、背裏カバーの端末を各Ｊ字フックで引張ることに伴うテンションのバラ付きが生じ易い。このテンションのバラ付きにより、背裏カバーに引きつれが生じ、外観商品性が損なわれてしまう。
【０００５】
シートバックの場合、シートバックフレームをバックパッドの背後より組み付ける都合上、バックパッドが背抜き状の空間を呈するよう形成されている。このため、背裏カバーの端末止着に伴っては、パッド部が存在しないところから、背裏カバーを引張るテンションのバラ付きにより、背裏カバーの面積内に至る引きつれが生じ易い。
【０００６】
本発明は、下部側が開放された袋状のトリムカバーを車両用シートのパッドに被着するに、トリムカバーの開放端を引張ることに伴うテンションのバラ付きが生ずるのを防ぎ、トリムカバーの引きつれが生ずるのを防いで外観商品性を良好に保てる車両用シートのトリムカバー被着構造を提供する。
【課題を解決するための手段】
【０００７】
本願の請求項１に係る発明は、下部側が開放された袋状のトリムカバーを車両用シートのパッドに被着するに、シートフレームに設けた引掛け片で前記トリムカバーを止着する車両用シートのトリムカバー被着構造において、前記トリムカバーに設けたカバー部材が上方に開口した袋部を有し、前記引掛け片を前記袋部に差し込んで前記トリムカバーを止着してなることを特徴とする。
【０００８】
本願の請求項２に係る発明は、前記カバー部材を２つに折り曲げて接合し、前記引掛け片に相当する幅を非接合として前記袋部を構成したことを特徴とする。
【０００９】
本願の請求項３に係る発明は、前記カバー部材の接合部に沿って平帯状の樹脂プレートを備え付けたことを特徴とする。
【００１０】
本願の請求項４に係る発明は、前記カバー部材の非接合部に摘み片を設けたことを特徴とする。
【００１１】
本願の請求項５に係る発明は、前記シートフレームの幅方向に掛け渡されるワイヤの一部を略Ｕ字状に折り曲げて前記引掛け片を構成したことを特徴とする。
【００１２】
本願の請求項６に係る発明は、前記トリムカバーと別部材の引張り強度を有するカバー部材を前記トリムカバーに備えてなることを特徴とする。
【００１３】
本願の請求項７に係る発明は、前記カバー部材の長手方向に亘る平帯状の樹脂プレートを前記カバー部材と一体に備え付けたことを特徴とする。
【００１４】
本願の請求項８に係る発明は、前記袋部に差し込まれる前記引掛け片に亘ってあてがい配置する平帯状の樹脂プレートを前記カバー部材と一体に備え付けたことを特徴とする。
【００１５】
本願の請求項９に係る発明は、前記トリムカバーは、前記トリムカバーの背裏側に開口部分を形成し、前記開口部分の周囲に形成されたマチ部分と、前記トリムカバーの背裏側に吊り下げられるものであって前記開口部分を覆う背裏カバーとを備え、前記カバー部材を前記背裏カバーの自由端側に備えることを特徴とする。
【００１６】
本願の請求項１０に係る発明は、前記トリムカバーは、前記トリムカバーの背裏側に開口部分を形成し、前記開口部分の周囲に形成されたマチ部分と、前記トリムカバーの背裏側に吊り下げられるものであって前記開口部分を覆う背裏カバーとを備え、前記カバー部材を前記トリムカバーと前記背裏カバーとの接合箇所に備えることを特徴とする。
【００１７】
本願の請求項１１に係る発明は、前記シートフレームの幅方向に亘って前記引掛け片と前記袋部を複数設けることを特徴とする。
【発明の効果】
【００１８】
本願の請求項１に係る発明によると、トリムカバーに設けたカバー部材が上方に開口した袋部を有し、シートフレームに設けた引掛け片を袋部に差し込んでトリムカバーを止着することにより、カバー部材（掛止め代）の袋部が保形性を有し、カバー部材を引掛け片で引張ることに伴うテンションをカバー部材の全長方向で受けるため、トリムカバーに引きつれが生ずるのを防げる。
【００１９】
本願の請求項２に係る発明によると、カバー部材を２つに折り曲げて接合し、引掛け片に相当する幅を非接合として袋部を構成する、すなわち、袋部の差込み口に相当する幅に亘る二つ折り相互のカバー端を非縫合とし、他のカバー端を二つ折り相互で縫い合わせて袋部を設けるという簡易な縫着構造により、引掛け片を差し込む袋部をカバー部材に設けるようにできると共に、カバー部材に保形性を更に付与できる。
【００２０】
本願の請求項３に係る発明によると、カバー部材の接合部に沿って平帯状の樹脂プレートを備え付けたことにより、カバー部材の保形性を平帯状の樹脂プレートで高めることができる。
【００２１】
本願の請求項４に係る発明によると、カバー部材の非接合部に摘み片を設けたことにより、袋部を容易に形成することができると共に、袋部へ引掛け片を差し込むことが容易となる。
【００２２】
本願の請求項５に係る発明によると、シートフレームの幅方向に掛け渡されるワイヤの一部を略Ｕ字状に折り曲げて引掛け片を構成したことにより、複雑な構造にすることなく引掛け片を容易に形成することができる。
【００２３】
本願の請求項６に係る発明によると、パッドに被着するトリムカバーと別部材の引張り強度を有するカバー部材をトリムカバーに備えることにより、掛止め代の保形性を高めることができる。
【００２４】
本願の請求項７に係る発明によると、カバー部材の例えば長手方向に亘る平帯状の樹脂プレートをカバー部材と一体に備え付けることにより、カバー部材の保形性を平帯状の樹脂プレートで高めることができる。
【００２５】
本願の請求項８に係る発明によると、カバー部材の袋部に差し込まれる引掛け片に亘って平帯状の樹脂プレートをあてがい配置することにより、カバー部材の保形性を平帯状の樹脂プレートで高めることができる。
【００２６】
本願の請求項９に係る発明によると、トリムカバーの背裏側に開口部分を形成し、開口部分の周囲に形成されたマチ部分と、トリムカバーの背裏側に吊り下げられるものであって開口部分を覆う背裏カバーとを備え、カバー部材を背裏カバーの自由端側に備えることによって、より好適にトリムカバーに引きつれが生ずるのを防ぐことができる。
【００２７】
本願の請求項１０に係る発明によると、トリムカバーの背裏側に開口部分を形成し、開口部分の周囲に形成されたマチ部分と、トリムカバーの背裏側に吊り下げられるものであって開口部分を覆う背裏カバーとを備え、カバー部材をトリムカバーと背裏カバーとの接合箇所に備えることによって、より好適にトリムカバーに引きつれが生ずるのを防ぐことができる。
【００２８】
本願の請求項１１に係る発明によると、シートフレームの幅方向に亘って引掛け片と袋部を複数設けることによって、カバー部材を引掛け片で引張ることに伴うテンションを分散させることができ、より好適にトリムカバーに引きつれが生ずるのを防ぐことができる。
【図面の簡単な説明】
【００２９】
【図１】図１は、本発明に係る車両用シートのトリムカバー被着構造を適用するシートバック用のトリムカバーを背後側から見て示す斜視図である。
【図２】図２は、本発明の第１の実施の形態に係る車両用シートのトリムカバー被着構造を端末の縦向き止着で示す斜視図である。
【図３】図３は、図２のトリムカバー被着構造に要する部材を示す説明図である。
【図４ａ】図４ａは、図３の部材相互を一体に縫着する工程を示す説明図である。
【図４ｂ】図４ｂは、図４ａに引き続く袋部の縁取りを縫着する工程を示す説明図である。
【図４ｃ】図４ｃは、図４ｂに引き続くカバー部材を二つ折りする工程を示す説明図である。
【図４ｄ】図４ｄは、図４ｃに引き続く袋部を縫い合わせる工程を示す説明図である。
【図５】図５は、図１のトリムカバーと異なる形態のトリムカバーを背後側から見て示す斜視図である。
【図６】図６は、図５のトリムカバーを被着するに要するシートバックフレームを示す斜視図である。
【図７】図７は、本発明の第２の実施の形態に係る車両用シートのトリムカバー被着構造を端末の横向き止着で示す斜視図である。
【発明を実施するための形態】
【００３０】
図示実施の形態は、車両用シートのシートバックを組み立てるに、図１で示すような下部側が開放された袋状のトリムカバー１をバックパッド（図示せず）に被着するに適用されている。具体的には、トリムカバー１の背裏カバー１０を端末止着するに適用されている。
【００３１】
背裏カバー１０は、カバー本体１１の背裏上マチ１２と縫い合わせ、左右のサイドマチ１２ａ，１２ｂとの間に備えたスライドファスナ１３ａ，１３ｂで開閉可能に縫着されている。背裏カバー１０を含むカバー本体１１は、本皮，合皮，ファブリック等のカバー材により形成するようにできる。
【００３２】
背裏カバー１０の端末には、別部材の掛止め代２が備えられている。掛止め代２は、不織布，織布，編布，皮革，合皮等の引張り強度を有する別部材で形成されている。それに代えて、背裏カバー１０と同じ材質のものにより形成するようにもできる。背裏カバー１０と同じ材質のもので形成する場合は、後述すると同様な縫製工程により、背裏カバー１０の端末を折り重ねて背裏カバー１０から連続した掛止め代として設けるようにできる。
【００３３】
掛止め代２には、後述するような引掛け片３１，３２を差し込む袋部が設けられる。引掛け片３１，３２は、図２で示すように二個に限らず、シートバックフレームのサイドフレーム部（図示せず）の間に掛渡し固定する金属ワイヤ３の軸線を略Ｕ字状に折り曲げて所定の間隔毎に複数設けるようにできる。引掛け片３１，３２は、アンダーフレームの長手方向に並んで同じ張出し寸法を保って整列するよう設けられている。
【００３４】
掛止め代２は、図３で示すように別のカバー部材２ａをベースに、平帯状の樹脂プレート２ｂを一体に備え付けることにより縫製されている。カバー部材２ａは、背裏カバー１０との縫合せ代２０ａ（図２参照）を保って二つ折り可能な四辺形の面積を有する。また、摘み片を形成する舌状部２１ａ，２１ｂを二つ折りの先端縁に持って裁断されている。樹脂プレート２ｂは、厚み０．１５ｍｍ，幅０，８ｍｍ程度の可撓性を有するものを備えるようにできる。
【００３５】
掛止め代２を縫製するには、まず、図４ａで示すように少なくとも背裏カバー１０との縫合せ代２０ａを残し、樹脂プレート２１をカバー部材２ａの幅方向に沿って後述する二つ折りの外面側にあてがうことにより縫い目線Ｌ１で直線縫いする。次に、図４ｂで示すように舌状部２１ａ，２１ｂを樹脂プレート２１と同じ側の外面側に二つ折りし、二つ折り相互を縫い目線Ｌ２，Ｌ３で直線縫いする。これにより、袋部を開くに用いられる摘み片２１ａ，２１ｂ（舌状部と同じ符号で示す。）を形成する。
【００３６】
摘み片２１ａ，２１ｂを設けたならば、図４ｃで示すように縫合せ代２０ａを保ってカバー部材２ａを二つ折りする。次に、摘み片２１ａ，２１ｂの幅に亘る二つ折り相互のカバー端を袋部２２ａ，２２ｂの差込み口として非縫合とし、他のカバー端を縫い目Ｌ４，Ｌ５，Ｌ６で直線縫いすることにより袋部２２ａ，２２ｂを設ける。
【００３７】
掛止め代２は、図２で示すように各引掛け片３１，３２の差込み口を有する袋部２２ａ，２２ｂを面内に設け、各引掛け片３１，３２を掛止め代２の袋部２２ａ，２２ｂに差し込んで背裏カバー１０の開放端を端末止着に用いられる。樹脂プレート２ｂは、掛止め代２の袋部２２ａ，２２ｂに差し込まれる各引掛け片３１，３２に亘ってあてがい配置可能に備え付けるとよい。
【００３８】
このように構成する車両用シートのトリムカバー被着構造では、カバー部材２ａを二つに折り曲げた掛止め代２を背裏カバー１０の端末に備え、各引掛け片３１，３２を掛止め代２の袋部２２ａ，２２ｂに差し込んで背裏カバー１０の開放端を端末止着することにより、掛止め代２が二つ折りで保形性を有し、掛止め代２を各引掛け片３１，３２で引張ることに伴うテンションを掛止め代２の全長方向で受けるため、背裏カバー１０に引きつれが生ずるのを防げる。
【００３９】
それに加えて、摘み片２１ａ，２１ｂの幅に亘る二つ折り相互のカバー端を袋部２２ａ，２２ｂの差込み口として非縫合とし、他のカバー端を縫い目Ｌ４，Ｌ５，Ｌ６で直線縫いするという簡易な縫着構造により、各引掛け片３１，３２を差し込む袋部２２ａ，２２ｂを掛止め代２に設けるようにできると共に、掛止め代２に保形性を更に付与できる。
【００４０】
バックパッドに被着する背裏カバー１０と別部材の引張り強度を有する掛止め代２を背裏カバー１０の開放端に備えることから、掛止め代２が引張り強度を保つことにより掛止め代２の保形性を高めることができる。
【００４１】
掛止め代２の長手方向に亘る平帯状の樹脂プレート２ｂを掛止め代２と一体に備え付けることにより、掛止め代２の保形性を樹脂プレート２ｂで高めることができる。特に、掛止め代２の袋部２２ａ，２２ｂに差し込まれる各掛止め部３１，３２に亘って平帯状の樹脂プレート２ｂをあてがい配置することにより、樹脂プレート２ｂを含む掛止め代２の保形性を高めることができる。
【００４２】
上述した実施の形態は、背裏カバー１０の端末を止着する他に、図５で示すような背裏カバー１０と背裏上マチ１２との縫い合わせ代を端末として縦向きに止着するにも適用できる。この場合には、掛止め代２を背裏カバー１０と背裏上マチ１２との縫い合わせ代に縫い付ければよい。
【００４３】
その場合には、図６で示すようなシートバックフレーム４をベースに組み立てられる。このシートバックフレーム４は、パイプ部材をアッパー部から左右側部に亘って逆Ｕ字状に湾曲曲げしたメインフレーム４ａを有し、アンダー部から左右サイド部に亘る別部材のアンダーフレーム４ｂ、左右のサイドフレーム４ｃ，４ｄを溶接等で取り付けて組み立てられている。図中、符号４ｅ，４ｆはヘッドレストフレームのステーを挿通保持するステーホルダーを示す。
【００４４】
そのシートバックフレーム４においては、メインフレーム４ａの左右フレーム部に掛渡し装着することにより、引掛け片３１，３２を略Ｕ字状に軸線曲げした金属ワイヤ３が備え付けられる。この金属ワイヤ３に対しては、各引掛け片３１，３２を掛止め代２の袋部２２ａ，２２ｂ（図５参照）に差し込んで背裏カバー１０と背裏上マチ１２との縫い合わせ代を縦向きに端末止着するようにできる。
【００４５】
上述した実施の形態は、背裏カバー１０の端末乃至は背裏カバー１０と背裏上マチ１２との縫い合わせ代を金属ワイヤ３の引掛け片３１，３２で縦向きに止着する場合に基づいて説明したが、図７で示すようにシートバックフレームのサイドフレーム部（図示せず）の間に内向きに掛渡し固定する金属ワイヤ３の引掛け片３１，３２で止着することもできる。この場合には、トリムカバーの開放端をシートバックフレームより内側に回し込んで横向きに止着できる。
【００４６】
上述した実施の形態はシートバックを組み立てる場合に基づいて説明したが、図７で示すようなトリムカバーの端末止着により、シートクッションを組み立てるにも適用できる。シートクッションを組み立てる場合には、四辺形を有する枠内の内方に向かう引掛け片をシートクッションフレームに切起しや一体成形等で設けて袋部２２ａ，２２ｂに差し込むようにすればよい。
【符号の説明】
【００４７】
１  トリムカバー
２  掛止め代
２ａ  カバー部材
２ｂ  樹脂プレート
２１ａ，２１ｂ  摘み片
２２ａ，２２ｂ  袋部
３１，３２  引掛け片
【図１】
0005918397.tif 000002
【図２】
0005918397.tif 000003
【図３】
0005918397.tif 000004
【図４ａ】
0005918397.tif 000005
【図４ｂ】
0005918397.tif 000006
【図４ｃ】
0005918397.tif 000007
【図４ｄ】
0005918397.tif 000008
【図５】
0005918397.tif 000009
【図６】
0005918397.tif 000010
【図７】
0005918397.tif 000011